(57)【要約】【課題】従来のカーナビゲーションシステムやインターネットブラウザでは、移動先に関する情報である移動先情報を取得し、移動先情報に基づいて地域情報を表示できなかった。【解決手段】地図情報を格納している地図情報格納部と、位置情報を取得する位置情報取得部と、位置情報に基づいて地図情報格納部から地図情報を取得する地図情報取得部と、地図情報取得部が取得した地図情報を表示する地図情報表示部を具備し、地域情報を地図情報の特定の箇所と視覚的に対応付けて表示する地域情報出力装置により、地域情報を地図と対応付けて、かつ移動先情報に基づいて表示できる。【選択図】　図１
2004070558.tif 000002
【特許請求の範囲】
【請求項１】
移動可能な装置であり、かつ移動する地域に関連する情報である地域情報を出力する地域情報出力装置であって、
移動先または移動する方向に基づいて前記地域情報を出力する地域情報出力装置。
【請求項２】
前記地域情報は、放送を受信することにより取得する請求項１記載の地域情報出力装置。
【請求項３】
前記地域情報は、通信手段により取得する請求項１記載の地域情報出力装置。
【請求項４】
ユーザの出力指示により、前記地域情報を出力する請求項１から請求項３いずれか記載の地域情報出力装置。
【請求項５】
地図情報を格納している地図情報格納部と、
位置情報を取得する位置情報取得部と、
前記位置情報に基づいて前記地図情報格納部から地図情報を取得する地図情報取得部と、
前記地図情報取得部が取得した地図情報を表示する地図情報表示部をさらに具備し、
前記地域情報を前記地図情報の特定の箇所と視覚的に対応付けて表示する請求項１から請求項４いずれか記載の地域情報出力装置。
【請求項６】
地域情報出力装置の移動に基づいて、表示している地域情報を未表示にする請求項１から請求項５いずれか記載の地域情報出力装置。
【請求項７】
前記地域情報は広告情報である請求項１から請求項６いずれか記載の地域情報出力装置。
【請求項８】
ＧＰＳ受信機を具備し、
前記移動先情報は、前記ＧＰＳ受信機が取得した２以上の位置情報に基づいて取得される請求項１から請求項７いずれか記載の地域情報出力装置。
【請求項９】
コンピュータに、
位置情報を取得する位置情報取得ステップと、
前記位置情報取得ステップで取得した位置情報と格納している１以上の位置情報に基づいて移動先情報を取得する移動先情報取得ステップと、
前記移動先情報取得ステップで取得した移動先情報に基づいて、予め格納している地域情報の中から、地域情報を取得する地域情報取得ステップと、
前記地域情報取得ステップで取得した地域情報を出力する地域情報出力ステップを実行させるためのプログラム。
【発明の詳細な説明】
【０００１】
【発明の属する技術分野】
本発明は、移動可能な装置であり、かつ移動する地域に関連する情報である地域情報を表示する地域情報出力装置に関するものである。
【０００２】
【従来の技術】
第一の従来技術として、ＧＰＳ受信機を具備するカーナビゲーションシステムがある。カーナビゲーションシステムは、ＧＰＳ受信機により位置情報を取得して、カーナビゲーションシステムが搭載されている自動車の現在位置を地図上に表示する。また、カーナビゲーションシステムは、自動車を目的地まで誘導する機能なども有する。
【０００３】
第二の従来技術として、インターネットブラウザがある。インターネットブラウザは、ユーザから入力されたキーワード等によりインターネット上のサーバ装置を検索し、地域情報を取得する。そして、インターネットブラウザは、当該インターネットブラウザがインストールされているコンピュータのディスプレイ上に取得した地域情報を表示する。
【０００４】
【発明が解決しようとする課題】
しかしながら、従来のカーナビゲーションシステムやインターネットブラウザでは、移動先に関する情報である移動先情報を取得し、移動先情報に基づいて地域情報を表示できなかった。なお、移動先情報とは、移動方向や移動先地域など２以上の位置情報に基づいて得られる情報である。また、地域情報とは、地域の広告情報や、その地域に存在する店の広告情報や、地域を紹介する情報など、地域に関連する情報を言う。
【０００５】
【課題を解決するための手段】
以上の課題を解決するために、本発明は、移動可能な装置であり、かつ移動する地域に関連する情報である地域情報を表示する地域情報出力装置であって、移動先に関する情報である移動先情報を取得し、移動先情報に基づいて地域情報を表示する機能を提供する。
【０００６】
また、他の本発明は、地図情報を格納している地図情報格納部と、位置情報を取得する位置情報取得部と、位置情報に基づいて地図情報格納部から地図情報を取得する地図情報取得部と、地図情報取得部が取得した地図情報を表示する地図情報表示部を具備し、地域情報を地図情報の特定の箇所と視覚的に対応付けて表示する地域情報出力装置により、地域情報を地図と対応付けて、かつ移動先情報に基づいて表示できる。
【０００７】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００８】
（実施の形態１）
図１は、本実施の形態に係る地域情報出力装置の構成を示すブロック図である。本地域情報出力装置は、地図情報格納部１０１、位置情報取得部１０２、地図情報取得部１０３、地図情報表示部１０４、地域情報受信部１０５、地域情報蓄積部１０６、移動先情報取得部１０７、地域情報取得部１０８、地域情報出力部１０９を有する。
【０００９】
地図情報格納部１０１は、地図情報を格納している。地図情報格納部１０１は、不揮発性の記録媒体が好適であるが、揮発性の記録媒体でも良い。地図情報格納部１０１は、具体的には、ＤＶＤ（Ｄｉｇｉｔａｌ　Ｖｅｒｓａｔｉｌｅ　Ｄｉｓｃ）などが好適である。
【００１０】
位置情報取得部１０２は、位置情報を取得する。位置情報取得部１０２は、例えば、ＧＰＳ受信機である。また、位置情報取得部１０２は、携帯電話の無線通信機能により、複数の基地局からの電波を受信して、当該電波により位置を取得する手段により実現しても良い。
【００１１】
地図情報取得部１０３は、位置情報に基づいて地図情報格納部１０１から地図情報を取得する。地図情報取得部１０３は、通常、ソフトウェアから構成されるが、ハードウェア（専用回路）により実現しても良い。
【００１２】
地図情報表示部１０４は、地図情報取得部１０３が取得した地図情報を表示する。地図情報表示部１０４は、例えば、ディスプレイとそのドライバーソフトにより実現され得る。但し、地図情報表示部１０４は、ディスプレイを含なくても良い。かかる場合、地図情報表示部１０４は、地域情報出力装置とは別の（外付けの）ディスプレイに地図情報を表示するように指示する。地図情報のデータ構造は、カーナビゲーションで利用される地図のデータ構造が一般的であるが、他のデータ構造でも良い。
【００１３】
地域情報受信部１０５は、地域情報を受信する。地域情報受信部１０５は、放送を受信する手段（チューナおよびそのドライバーソフト等）や無線通信手段により実現され得る。地域情報受信部１０５は、デジタル放送を受信する手段が好適である。地域情報とは、ある地域に存在する店の広告情報や、ある地域の活性化のための情報など、ある地域に関連する情報であれば何でも良い。
【００１４】
地域情報蓄積部１０６は、地域情報受信部１０５が受信した地域情報を蓄積する。地域情報蓄積部１０６は、地域情報出力装置に内蔵されている記録媒体または、地域情報出力装置に外付けの記録媒体に地域情報を蓄積する。但し、この記録媒体は、地域情報出力装置が有する主メモリやキャッシュなどでも良い。つまり、地域情報蓄積部１０６が行う地域情報の蓄積は、一時的な蓄積でも良い。
【００１５】
移動先情報取得部１０７は、位置情報取得部１０２が取得した２以上の位置情報に基づいて移動先情報を取得する。移動先情報取得部１０７は、通常、ソフトウェアから構成されるが、ハードウェア（専用回路）により実現しても良い。移動先情報とは、例えば、地域情報出力装置が移動する先の地域（都道府県、市町村、特定の住所など）を示す情報や、地域情報出力装置が移動する方向（東西南北や、地図上の上部、下部など）を示す情報などである。
【００１６】
地域情報取得部１０８は、移動先情報取得部１０７が取得した移動先情報に基づいて地域情報を取得する。地域情報取得部１０８は、通常、ソフトウェアで実現されるが、ハードウェア（専用回路）により実現しても良い。
【００１７】
地域情報出力部１０９は、地図情報の特定の箇所と対応付けて地域情報を出力する。この出力とは、ディスプレイ等への表示が好適であるが、スピーカーからの音声出力やプリンタへの印刷でも良い。地域情報出力部１０９は、例えば、ディスプレイとそのドライバーソフトと、地図情報の特定の箇所と地域情報を対応付ける機能を有するソフトウェア等により実現され得る。また、地域情報出力部１０９は、ディスプレイを含まなくても良い。かかる場合、地域情報出力部１０９は、外付けのディスプレイに地域情報を出力指示する。さらに、地域情報出力部１０９は、地域情報を音声出力する場合には、スピーカーとそのドライバーソフトを有しても良い。
【００１８】
以下、本実施の形態に係る地域情報出力装置の動作について図２のフローチャートを用いて説明する。なお、地域情報受信部１０５は、常時、地域情報を受信し、地域情報蓄積部１０６は、地域情報受信部１０５が地域情報を受信すれば当該地域情報を蓄積する。
【００１９】
（ステップＳ２０１）位置情報取得部１０２は、位置情報を取得したか否かを判断する。位置情報を取得すればステップＳ２０２に行き、位置情報を取得しなければステップＳ２０１に戻る。
【００２０】
（ステップＳ２０２）地図情報表示部１０４は、ステップＳ２０１で取得した位置情報に基づいて、表示すべき地図情報が変更になったか否かを判断する。地図情報の変更があればステップＳ２０３に行き、地図情報の変更がなければステップＳ２０５に飛ぶ。
【００２１】
（ステップＳ２０３）地図情報表示部１０４は、ステップＳ２０１で取得した位置情報に基づいて、地図情報格納部１０１から地図情報を取得する。
【００２２】
（ステップＳ２０４）地図情報表示部１０４は、ステップＳ２０３で取得した地図情報を表示する。
【００２３】
（ステップＳ２０５）移動先情報取得部１０７は、格納している位置情報を読み出す。読み出す位置情報は、以前に、位置情報取得部１０２が取得した位置情報である。読み出す位置情報は、１以上の位置情報である。
【００２４】
（ステップＳ２０６）移動先情報取得部１０７は、ステップＳ２０１で取得した位置情報とステップＳ２０５で読み出した位置情報に基づいて移動先情報を取得する。なお、通常、移動先情報取得部１０７は、２以上の位置情報と、地図情報格納部１０１に格納されている地図情報に基づいて、移動先情報を取得する。
【００２５】
（ステップＳ２０７）移動先情報取得部１０７は、ステップＳ２０６で取得した移動先情報と格納されている移動先情報と比較して、移動先情報の変更があったか否かを判断する。移動先情報の変更があればステップＳ２０８に行き、移動先情報の変更がなければステップＳ２１１に飛ぶ。
【００２６】
（ステップＳ２０８）移動先情報取得部１０７は、ステップＳ２０６で取得した移動先情報を蓄積する。
【００２７】
（ステップＳ２０９）地域情報取得部１０８は、ステップＳ２０６で取得した移動先情報に基づいて、地域情報を取得する。この地域情報は、地域情報蓄積部１０６が蓄積した地域情報の中から選択された地域情報である。
【００２８】
（ステップＳ２１０）地域情報出力部１０９は、ステップＳ２０９で取得した地域情報を出力する。地域情報の出力は、表示している地図情報の特定の箇所と視覚的に対応付けて表示することが望ましいが、他の出力態様でも構わない。他の出力態様として、地域情報を地図の横に、地図情報の特定の箇所と対応付けずに表示したり、音声出力したりする態様がある。
【００２９】
（ステップＳ２１１）位置情報取得部１０２は、図示しない記録媒体に位置情報を蓄積する。この記録媒体は、不揮発性の記録媒体でも揮発性も記録媒体でも良い。また、この記録媒体は、地域情報出力装置に内蔵されていても良いし、外付けのものでも良い。
【００３０】
以上、地域情報出力装置が地域情報を出力する動作について図２のフローチャートを用いて説明した。なお、図２のフローチャートにおいて、地域情報の取得、出力は移動先情報の変更に伴って行われた。しかし、移動先情報の変更の有無に関わらず、地域情報の取得および出力を行っても良い。かかる場合、同一の地域情報を再描画することになる場合もあり得る。また、図２のフローチャートにおいて、地域情報出力装置に地図情報が表示されている状態から動作が開始されている。
【００３１】
以下、本実施の形態における地域情報出力装置の具体的な動作について説明する。今、地域情報出力装置は、具体的には、いわゆるナビゲーション装置であるとする。つまり、地域情報出力装置は自動車などの移動車両に搭載され、ＧＰＳ受信機を有し、当該ＧＰＳ受信機が取得する位置情報に基づいて地図情報を表示する機能を有する。また、地域情報出力装置は、デジタル放送を受信するデジタル放送受信機も具備する、とする。このデジタル放送受信機により地域情報を取得し、蓄積する。また、地域情報とは、ある地域に存在する店や地域を宣伝する広告情報である、とする。なお、移動車両は、自動車以外に、電車、飛行機などの移動物でも良い。
【００３２】
今、デジタル放送により、図３に示す「広告主識別子」「住所」「地域情報」を有する地域情報レコードが順次放送され、地域情報出力装置のデジタル放送受信機により受信された、とする。そして、地域情報出力装置は、図３に示すような多数の地域情報レコードを取得し、格納している。図３の表を地域情報管理表と言う。そして、図４は、地域情報出力装置が表示している地図情報である。図４によれば、地域情報出力装置が搭載された移動車両は、「枚方市」から「高槻市」に向かって走行している。地域情報出力装置のＧＰＳ受信機は、常時、位置情報を受信している。そして、地域情報出力装置は、受信した複数の位置情報と格納している地図情報から次に向かう地域（市）が「高槻市」であることを認識する。つまり、地域情報出力装置の移動先情報取得部は「高槻市」という移動先情報を取得する。
【００３３】
次に、地域情報出力装置の地域情報取得部は、図３の複数の地域情報レコードの「住所」のデータから「高槻市」を含む「地域情報」を取得する。つまり、地域情報取得部は、図３の第一レコード（「広告主識別子」が「マクロナルホド」のレコード）と第二レコード（「広告主識別子」が「洋服の赤山」のレコード）である。
【００３４】
そして、地域情報出力装置の地図情報格納部の地図情報は、地図上の建物と当該建物の「住所」データがリンク付けされている構造である、とする。次に、地域情報出力装置の地域情報出力部は、図５のような地域情報を地図上に表示する。図５によれば、地域情報が地図情報の特定の箇所と視覚的に対応付けて表示されている。この表示は以下のような処理により行う。つまり、地域情報取得部が取得した図３の第一レコードまたは第二レコードの「住所」データと地図情報の「住所」データが一致すれば、第一レコードまたは第二レコードの「地域情報」を地図情報の地図上の建物に視覚的に対応付けて表示する。図５において、当該建物に網掛けをして、網掛けされた建物と地域情報を矢印等で視覚的に対応付けて表示している。なお、図５において、「マクロナルホド」の「地域情報」は、テキストデータであり、「洋服の赤山」の「地域情報」は、動画情報である。つまり、「地域情報」のデータタイプは問わない。「地域情報」は、テキスト、静止画、動画、音声、またはこれらの組み合わせのデータ等、何でも良い。図５において、テキストデータおよび動画データがそれぞれ地図上の別ウィンドウに表示されている。また、図５において、地域情報と対応付けられた建物に自動車を誘導するように、道路上に破線の矢印を表示している。
【００３５】
表示された地図情報の上に地域情報を表示する例として、図６のような表示例でも良い。図６の表示は、以下のような処理により行われる。まず、上記の例と同様に、地域情報出力装置の移動先情報取得部は「高槻市」という移動先情報を取得する。そして、地域情報取得部は、「高槻市」という移動先情報を「住所」に有する地域情報レコードの「地域情報」を取得する。そして、地域情報取得部は、図３の第一レコードと第二レコードの「地域情報」を取得する。また、地域情報取得部は、「地域情報」とともに「広告主識別子」も取得する、とする。次に、地域情報出力部は、第一レコードと第二レコードの「広告主識別子」と「地域情報」を、地図上に表示する。そして、地域情報出力部は、「広告主識別子」と「地域情報」を進行方向ではない位置に表示することが好適である。図６の例では、地域情報出力部は、地図の南（下）側に「広告主識別子」と「地域情報」を表示する。地図の進行方向に「広告主識別子」と「地域情報」を表示することは、地図を見る場合の妨げとなる。
【００３６】
以上、本実施の形態によれば、移動可能な装置であり、かつ地域情報を出力する地域情報出力装置であって、取得した移動先情報に基づいて地域情報を出力する地域情報出力装置により、ユーザは移動しながら移動先の広告情報などを自動的に得ることができる。
【００３７】
なお、移動可能な装置とは、自動車や電車や飛行機などの移動車両に搭載されている装置や、人が持って移動する装置や、移動するための車輪などを有する装置などがある。
【００３８】
また、本実施の形態において、地域情報を前記地図情報の特定の箇所と視覚的に対応付けて表示する態様として、矢印を用いた。しかし、表示されている地域情報に対応する地図情報の特定の箇所を点滅表示したり、目立つように色を変えたりするなどにより地域情報を前記地図情報の特定の箇所と視覚的に対応付けても良い。かかる表示は、他の実施の形態においても同様である。
【００３９】
また、本実施の形態において、地域情報の出力は自動的に行われたが、ユーザの出力指示により地域情報の表示を行っても良い。かかる表示制御は、他の実施の形態においても同様である。
【００４０】
さらに、本実施の形態において説明した地域情報出力装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における動作をソフトウェアで実現した場合のプログラムは、以下のようになる。コンピュータに、位置情報を取得する位置情報取得ステップと、位置情報取得ステップで取得した位置情報と格納している１以上の位置情報に基づいて移動先情報を取得する移動先情報取得ステップと、移動先情報取得ステップで取得した移動先情報に基づいて、予め格納している地域情報の中から、地域情報を取得する地域情報取得ステップと、地域情報取得ステップで取得した地域情報を出力する地域情報出力ステップを実行させるためのプログラムである。
【００４１】
（実施の形態２）
図７は、本実施の形態に係る地域情報出力装置の構成を示すブロック図である。本地域情報出力装置は、位置情報取得部１０２、地域情報格納部７０１、移動先情報取得部７０２、地域情報取得部７０３、地域情報出力部１０９を有する。また、地域情報出力装置は、移動可能な装置であり、かつ移動する地域に関連する情報である地域情報を出力する装置である。地域情報出力装置が移動可能であるとは、自動車や電車や飛行機などの輸送車両に地域情報出力装置が搭載されているために移動できるという意味の場合や、人が持ち運ぶことにより移動できるという意味の場合や、地域情報出力装置自身が車輪とその駆動手段などを有するために移動できるという意味の場合などがある。
【００４２】
地域情報格納部７０１は、地域情報を格納している。地域情報格納部７０１は、不揮発性の記録媒体または揮発性の記録媒体により実現され得る。また、地域情報格納部７０１に格納されている地域情報は、放送を受信する手段（例えば、チューナーとそのドライバーソフトなど）や通信手段（例えば、ネットワークカードとそのドライバーソフトなど）により取得しても良い。つまり、地域情報格納部７０１に格納されている地域情報は、放送で送信された情報であっても、インターネット等により取得された情報であっても、光ディスクなどの記録媒体から取得した情報であっても良い。
【００４３】
移動先情報取得部７０２は、２以上の位置情報に基づいて移動先情報を決定する。移動先情報取得部７０２は、通常、ソフトウェアから構成されるが、ハードウェア（専用回路）により実現しても良い。
【００４４】
地域情報取得部７０３は、移動先情報取得部７０２が取得した移動先情報に基づいて地域情報を取得する。地域情報取得部７０３は、通常、ソフトウェアから構成されるが、ハードウェア（専用回路）により実現しても良い。
【００４５】
以下、本実施の形態に係る地域情報出力装置の動作について図８のフローチャートを用いて説明する。
【００４６】
（ステップＳ８０１）位置情報取得部１０２は、位置情報を取得したか否かを判断する。位置情報を取得すればステップＳ８０２に行き、位置情報を取得しなければステップＳ８０１に戻る。
【００４７】
（ステップＳ８０２）位置情報取得部１０２は、図示しない記録媒体に位置情報を格納する。この記録媒体は、地域情報出力装置に内蔵されている記録媒体でも良いし、外付けの記録媒体でも良い。
【００４８】
（ステップＳ８０３）移動先情報取得部１０７は、位置情報取得部１０２が取得した位置情報（格納されている位置情報）が２以上存在するか否かを判断する。２以上の位置情報が存在すればステップＳ８０４に行き、２以上の位置情報が存在しなければステップＳ８０１に戻る。
【００４９】
（ステップＳ８０４）移動先情報取得部１０７は、位置情報取得部１０２が格納した２以上の位置情報を読み出す。
【００５０】
（ステップＳ８０５）移動先情報取得部１０７は、ステップＳ８０４で読み出した２以上の位置情報に基づいて移動先情報を決定する。
【００５１】
（ステップＳ８０６）地域情報取得部７０３は、ステップＳ８０５で決定した移動先情報に基づいて地域情報格納部７０１から地域情報を取得する。
【００５２】
（ステップＳ８０７）地域情報出力部１０９は、ステップＳ８０６で取得した地域情報を出力する。
【００５３】
以下、本実施の形態における地域情報出力装置の具体的な動作について説明する。今、地域情報出力装置は、具体的には、携帯端末であるとする。また、地域情報出力装置は、特に、いわゆる携帯電話であるとする。なお、本実施形態における上記の説明において、電話機能については触れなかったが、電話機能は既存の機能であるので説明を省略する。今、携帯電話は、以下の技術により携帯電話が存在する領域を認識する、とする。複数の地上無線局が配置されている状況において、携帯電話が、複数の地上無線局からの電波を受信することにより携帯電話自身の位置を検出できる。また、携帯電話がＧＰＳ受信機を具備しており、位置情報を取得する構成でも良い。
【００５４】
以上の構成により、携帯電話は位置情報を取得できる、とする。そして、携帯電話は、少なくとも図９の地図上における自身が存在する領域を把握できる、とする。具体的には、携帯電話は、例えばＧＰＳ受信機が取得する位置情報（緯度、経度）を図９の領域の情報に変換する。なお、通常、ＧＰＳ受信機が取得する位置情報は（緯度、経度、高度）の３次元の情報であるが、簡単化のために「高度」の情報は省略する。また、領域の情報とは、以下の情報を言う。領域の縦軸は「Ａ」から「Ｄ」の４つに分割され、横軸は「１」から「４」の４つに分割される。そして、領域の情報は、縦軸の区分と横軸の区分を合わせた情報で表される。例えば、領域の情報は、「Ａ１」、「Ｄ３」というようにアルファベットと数字の文字列で表される。
【００５５】
今、ユーザが携帯電話を持って移動中である、とする。そして、携帯電話は、「Ａ２」の領域にある特定の位置情報を取得して格納する、とする。これは、例えば、図９に示す位置に携帯電話が存在する、ということである。
【００５６】
次に、ユーザは、南（Ｂの方）に下る、とする。そして、携帯電話は、「Ｂ２」の領域の特定の位置情報を取得する、とする。次に、携帯電話の移動先情報取得部は、「Ａ２」の領域から「Ｂ２」の領域に移動したことを検知して、次の移動先を「Ｃ２」の領域であると判断する。つまり、携帯電話は、移動先情報を「Ｃ２」と決定する。今、携帯電話は、図１０に示すような位置に存在する。
【００５７】
そして、地域情報格納部に、図１１に示す地域情報管理表が格納されている、とする。図１１の地域情報管理表は、「領域」「店識別子」「地域情報」を有する地域情報レコードを複数有する。
【００５８】
次に、携帯電話の地域情報取得部は、移動先情報「Ｃ２」を「領域」とする地域情報レコードのうちの「地域情報」を取得する。そして、携帯電話の地域情報出力部は、取得した「地域情報」を出力する。つまり、図１２に示すように、「地域情報」は携帯電話のディスプレイに表示される。但し、「地域情報」はスピーカーから音声出力されても良い。
【００５９】
また、携帯電話を持っているユーザがさらに南に移動し、「Ｃ２」の領域に入った場合には、携帯電話は、次の移動先情報として「Ｄ２」を取得する。そして、図１１の地域情報管理表から領域「Ｄ２」と対になる「地域情報」を取得し、出力する。
【００６０】
なお、上記において、出力する「地域情報」は一つであったが、複数の「地域情報」を出力しても良い。また、出力する「地域情報」は地図情報と対応付けられていなかったが、実施の形態１と同様に、「地域情報」を地図情報と対応付けて出力しても良い。
【００６１】
以上、本実施の形態によれば、移動可能な装置であり、かつ地域情報を出力する地域情報出力装置であって、取得した移動先情報に基づいて地域情報を出力する地域情報出力装置により、ユーザは移動しながら移動先の広告情報などを自動的に得ることができる。
【００６２】
（実施の形態３）
図１３は、本実施の形態に係る地域情報出力装置の構成を示すブロック図である。本地域情報出力装置は、地図情報格納部１０１、位置情報取得部１０２、地図情報取得部１０３、地図情報表示部１０４、地域情報受信部１０５、地域情報蓄積部１０６、移動先情報取得部１０７、地域情報取得部１０８、地域情報出力部１０９、地域情報削除部１３０１を有する。
【００６３】
地域情報削除部１３０１は、地域情報出力装置が通過した位置に基づいて、表示している地域情報を削除する。地域情報削除部１３０１は、通常、ソフトウェアで実現されるが、ハードウェア（専用回路）により実現しても良い。
【００６４】
以下、本実施の形態に係る地域情報出力装置の動作について図１４のフローチャートを用いて説明する。なお、地域情報受信部１０５は、常時、地域情報を受信し、地域情報蓄積部１０６は、地域情報受信部１０５が地域情報を受信すれば当該地域情報を蓄積する。また、地図情報を表示する動作と、地域情報を出力する動作については、実施の形態１において説明したので、ここでの説明は省略する。図１４のフローチャートを用いて、表示されている地域情報を未表示にする動作について説明する。従って、図１４のフローチャートは、地域情報出力装置のディスプレイ上に地域情報が表示されている状態から開始される、とする。
【００６５】
（ステップＳ１４０１）地域情報削除部１３０１は、格納されている１以上の位置情報を読み出す。
（ステップＳ１４０２）カウンタｉに１を代入する。
【００６６】
（ステップＳ１４０３）地域情報削除部１３０１は、地域情報出力装置のディスプレイ上に表示されているｉ番目の地域情報が存在するか否かを判断する。ｉ番目の地域情報が存在すればステップＳ１４０４に行き、ｉ番目の地域情報が存在しなければ終了する。
【００６７】
（ステップＳ１４０４）地域情報削除部１３０１は、ｉ番目の地域情報と対になる「住所」の情報を取得する。なお、ステップＳ１４０４において取得するのは、「地域情報」に対応する位置を示す情報であれば何でも良く、「住所」であるとは限らない。
【００６８】
（ステップＳ１４０５）地域情報削除部１３０１は、ｉ番目の地域情報と対になる「住所」とステップＳ１４０１で取得した１以上の位置情報に基づいて、ｉ番目の地域情報と対になる「住所」が示す場所が通過した場所であるか、または移動先ではない場所であるかを判断する。ｉ番目の地域情報と対になる「住所」が示す場所が通過した場所であるか、または移動先ではない場所であればステップＳ１４０６に行く。また、ｉ番目の地域情報と対になる「住所」が示す場所が通過した場所でない、または移動先であればステップＳ１４０７に飛ぶ。
【００６９】
（ステップＳ１４０６）地域情報削除部１３０１は、ｉ番目の地域情報をディスプレイ上から削除する。なお、削除とは、ｉ番目の地域情報を未表示にする処理であり、他の情報の上書きによりｉ番目の地域情報を未表示にしても良い。
（ステップＳ１４０７）カウンタｉを１増加する。ステップＳ１４０３に戻る。
【００７０】
以下、本実施の形態における地域情報出力装置の具体的な動作について説明する。今、地域情報出力装置は、具体的には、いわゆるナビゲーション装置であるとする。そして、現在、図５に示す地図情報と地域情報が表示されている。
【００７１】
かかる場合に、ナビゲーション装置を搭載した自動車は、「大阪府高槻市ＡＢＣ町１−１」を通過して、「大阪府高槻市ＡＢＣ町３−８」に向かっているとする。つまり、図１５に示す位置に自動車が存在する。かかる状況において、ナビゲーション装置の地域情報削除部は、ナビゲーション装置が受信した２以上の位置情報に基づいて「大阪府高槻市ＡＢＣ町１−１」を通過したことを検知する。そして、ナビゲーション装置の地域情報削除部は、図５では表示されている「大阪府高槻市ＡＢＣ町１−１」に対応する「地域情報」を未表示にする。その表示例を図１５に示す。
【００７２】
以上、本実施の形態によれば、地域情報出力装置の移動に基づいて、表示している地域情報を自動的に未表示にできるので、ユーザは不要な地域情報を見ることがなく、必要と考えられる地域情報のみを得ることができる。
【００７３】
なお、本実施の形態によれば、通過した位置の地域情報を未表示にしたが、通過した位置や取得した移動先情報から、移動先からはずれた地域情報を未表示にしても良い。つまり、地域情報出力装置の移動に基づいて、表示している地域情報を自動的に未表示にすれば良い。
【００７４】
（実施の形態４）
図１６は、本実施の形態に係る地域情報出力装置の構成を示すブロック図である。本地域情報出力装置は、地図情報格納部１０１、位置情報取得部１０２、地図情報取得部１０３、地図情報表示部１６０４、地域情報受信部１０５、地域情報蓄積部１０６、移動先情報取得部１６０７、地域情報取得部１０８、地域情報出力部１０９、地域情報削除部１３０１を有する。
【００７５】
地図情報表示部１６０４は、地図情報取得部１０３が取得した地図情報を表示する。その際、地図情報表示部１６０４は、移動先情報取得部１６０７が取得した移動先情報が示す移動先が地図情報の上側になるように、地図情報を表示する。つまり、地図情報表示部１６０４は、地域情報出力装置（地域情報出力装置が設置されている車両なども含む）が地図情報の下部から上部を移動していると見えるように、地図情報を表示する。地図情報表示部１６０４は、例えば、ディスプレイとそのドライバーソフトにより実現され得る。但し、地図情報表示部１６０４は、ディスプレイを含なくても良い。かかる場合、地図情報表示部１６０４は、地域情報出力装置とは別の（外付けの）ディスプレイに地図情報を表示するように指示する。地図情報のデータ構造は、カーナビゲーションで利用される地図のデータ構造が一般的であるが、他のデータ構造でも良い。
【００７６】
移動先情報取得部１６０７は、位置情報取得部１０２が取得した２以上の位置情報に基づいて移動先情報を取得する。移動先情報取得部１６０７は、通常、ソフトウェアから構成されるが、ハードウェア（専用回路）により実現しても良い。ここにおける移動先情報とは、例えば、地域情報出力装置が移動する方向を示すベクトル情報などである。
【００７７】
以下、本実施の形態に係る地域情報出力装置の動作について図１７のフローチャートを用いて説明する。なお、地域情報受信部１０５は、常時、地域情報を受信し、地域情報蓄積部１０６は、地域情報受信部１０５が地域情報を受信すれば当該地域情報を蓄積する。また、地図情報表示部１６０４は、現在、大きなデータの地図情報を読み出して、その地図情報の一部を画面上に表示しているとする。さらに、今、表示されている地図上に、地域情報が表示されている、とする。表示されている地域情報は、地図上の地域情報出力装置が存在する位置から上部の領域に対応付けられる地域情報である。
【００７８】
（ステップＳ１７０１）位置情報取得部１０２は、位置情報を取得したか否かを判断する。位置情報を取得すればステップＳ１７０２に行き、位置情報を取得しなければステップＳ１７０１に戻る。
【００７９】
（ステップＳ１７０２）移動先情報取得部１６０７は、格納している位置情報を読み出す。読み出す位置情報は、以前に、位置情報取得部１０２が取得した位置情報である。読み出す位置情報は、１以上の位置情報である。
【００８０】
（ステップＳ１７０３）移動先情報取得部１６０７は、ステップＳ１７０１で取得した位置情報とステップＳ１７０５で読み出した位置情報に基づいて移動先情報を取得する。移動先情報とは、例えば、２つの位置情報を有するベクトル情報である。
【００８１】
（ステップＳ１７０４）地図情報表示部１６０４は、ステップＳ１７０３で取得した移動先情報に基づいて、表示している地図情報のビューを変更する。ビューを変更するとは、地域情報出力装置の移動に伴って、地図情報の表示領域を移動させることである。ここでは、例えば、地域情報出力装置の移動方向が、常に表示されている地図上の上向きになるようにする。
【００８２】
（ステップＳ１７０５）地域情報取得部１０８は、ステップＳ１７０３で取得した移動先情報に基づいて、新たに地域情報を取得する。具体的には、ステップＳ１７０４で表示されている地図の上部の位置に対応付けられている地域情報で、かつ、現在表示されていない地域情報を取得する。
【００８３】
（ステップＳ１７０６）地域情報出力部１０９は、ステップＳ１７０５で取得した地域情報を出力する。
【００８４】
（ステップＳ１７０７）地域情報削除部１３０１は、地域情報出力装置が通過した領域に表示されている地域情報を削除する。通過した領域とは、例えば、地図上の地域情報出力装置が存在する位置より下側の領域を言う。
【００８５】
（ステップＳ１７０８）位置情報取得部１０２は、図示しない記録媒体にステップＳ１７０１で取得した位置情報を蓄積する。この記録媒体は、不揮発性の記録媒体でも揮発性も記録媒体でも良い。また、この記録媒体は、地域情報出力装置に内蔵されていても良いし、外付けのものでも良い。ステップＳ１７０１に戻る。
【００８６】
なお、図２のフローチャートにおいて、電源ＯＦＦなどの割り込みにより処理は終了する。
【００８７】
以下、本実施の形態における地域情報出力装置の具体的な動作について説明する。今、地域情報出力装置は、具体的には、いわゆるナビゲーション装置であるとする。つまり、地域情報出力装置は自動車などの移動車両に搭載され、ＧＰＳ受信機を有し、当該ＧＰＳ受信機が取得する位置情報に基づいて地図情報を表示する機能を有する。また、地域情報出力装置は、デジタル放送を受信するデジタル放送受信機も具備する、とする。このデジタル放送受信機により地域情報を取得し、蓄積する。なお、移動車両は、自動車以外に、電車、飛行機などの輸送物でも良い。
【００８８】
今、デジタル放送により、図３に示す「広告主識別子」「住所」「地域情報」を有する地域情報レコードが順次放送され、地域情報出力装置のデジタル放送受信機により受信された、とする。そして、地域情報出力装置は、図３に示すような多数の地域情報レコードを有する地域情報管理表を格納している。そして、図１８は、地域情報出力装置が表示している地図情報である。図１８によれば、地域情報出力装置が読み出している地図情報の一部が画面上に表示されている。図１８では、地域情報出力装置が表示されている位置より上部の領域に対応付けられる地域情報が表示される。そして、例えば、地域情報出力装置は、地図上の真中に表示される。
【００８９】
図１８の状態から、地域情報出力装置が設置された自動車が左折したとする。すると、地図の表示および地域情報の表示は、図１９のようになる。図１９の地図は図１８の地図と比較して、９０度右に回転している。また、図１９の表示は図１８の表示と比較して、地域情報の表示が変化する。具体的には、地域情報出力装置より地図上で下部の領域になった「マクドナルホド」と「洋服の赤山」の地域情報が未表示となり、「レストランカスト」の地域情報が新たに表示されている。
【００９０】
以上、本実施の形態によれば、移動可能な装置であり、かつ地域情報を出力する地域情報出力装置であって、移動先または移動する方向に基づいて地域情報を出力する地域情報出力装置により、ユーザは移動しながら移動先の広告情報などを自動的に得ることができる。
【００９１】
なお、本実施の形態において、地域情報出力装置は、地図上の地域情報出力装置より上部の領域に対応付けられている地域情報を取得して出力したが、他のアルゴリズムで必要な地域情報を出力しても良い。つまり、地域情報出力装置は、移動先または移動する方向に基づいて地域情報を出力すれば良い。
【００９２】
【発明の効果】
本発明によれば、移動先または移動する方向に基づいて地域情報を出力する地域情報出力装置により、適切な広告情報などの地域情報の表示が可能となる。
【図面の簡単な説明】
【図１】実施の形態１における地域情報出力装置のブロック図
【図２】実施の形態１における地域情報出力装置の動作について説明するフローチャート
【図３】実施の形態１における地域情報管理表を示す図
【図４】実施の形態１における地域情報出力装置が表示する地図情報の例を示す図
【図５】実施の形態１における地域情報出力装置が表示する地域情報の例を示す図
【図６】実施の形態１における地域情報出力装置が表示する地域情報の例を示す図
【図７】実施の形態２における地域情報出力装置のブロック図
【図８】実施の形態２における地域情報出力装置の動作について説明するフローチャート
【図９】実施の形態２における地域情報出力装置が把握する領域に関する地図の例を示す図
【図１０】実施の形態２における地域情報出力装置の移動の様子を示す図
【図１１】実施の形態２における地域情報管理表を示す図
【図１２】実施の形態２における地域情報出力装置が表示する地域情報の例を示す図
【図１３】実施の形態３における地域情報出力装置のブロック図
【図１４】実施の形態３における地域情報出力装置の動作について説明するフローチャート
【図１５】実施の形態３における地域情報出力装置が地域情報を削除する場合の動作を説明する図
【図１６】実施の形態４における地域情報出力装置のブロック図
【図１７】実施の形態４における地域情報出力装置の動作について説明するフローチャート
【図１８】実施の形態４における地域情報出力装置が表示する地域情報の例を示す図
【図１９】実施の形態４における地域情報出力装置が表示する地域情報の例を示す図
【符号の説明】
１０１　地図情報格納部
１０２　位置情報取得部
１０３　地図情報取得部
１０４，１６０４　地図情報表示部
１０５　地域情報受信部
１０６　地域情報蓄積部
１０７、７０２、１６０７　移動先情報取得部
１０８、７０３　地域情報取得部
１０９　地域情報出力部
７０１　地域情報格納部
１３０１　地域情報削除部
【図１】
2004070558.tif 000003
【図２】
2004070558.tif 000004
【図３】
2004070558.tif 000005
【図４】
2004070558.tif 000006
【図５】
2004070558.tif 000007
【図６】
2004070558.tif 000008
【図７】
2004070558.tif 000009
【図８】
2004070558.tif 000010
【図９】
2004070558.tif 000011
【図１０】
2004070558.tif 000012
【図１１】
2004070558.tif 000013
【図１２】
2004070558.tif 000014
【図１３】
2004070558.tif 000015
【図１４】
2004070558.tif 000016
【図１５】
2004070558.tif 000017
【図１６】
2004070558.tif 000018
【図１７】
2004070558.tif 000019
【図１８】
2004070558.tif 000020
【図１９】
2004070558.tif 000021